(57)【要約】【課題】  煩雑なメニュー選択操作を繰り返すことなく、よく使用するメニューを簡単に選択し、所望の機能の設定ができる携帯電話機を提供する。【解決手段】  履歴記録部１０１は、ユーザの機能設定操作の対象となったメニュー項目と、ユーザ操作で選択された電話番号等の選択情報との使用履歴を記録する。操作画面生成部１０５は、記録された使用履歴から使用頻度の高い順位のメニュー項目や設定情報を項目とする操作画面を生成する。制御部１０３は、メニューの階層関係を無視して、表示中のメニュー画面に優先して操作画面を表示させる。【選択図】  図１
2006287556.tif 000002
【特許請求の範囲】
【請求項１】
機能設定のための複数のメニューが階層的に関連付けられ、各メニューをユーザ操作に応じて順次切り換えて表示部に表示する携帯通信機器であって、
ユーザの設定操作の対象となったメニュー項目とユーザ操作で設定された設定情報との使用履歴を記録する履歴記録手段と、
使用履歴から使用頻度が高い順位にあるメニュー項目及び／又は設定情報を項目とする操作画面を生成する操作画面生成手段と、
生成された操作画面を前記表示部に優先的に表示させる表示制御手段とを備えることを特徴とする携帯通信機器。
【請求項２】
前記履歴記録手段は、
設定操作の対象となったメニュー項目の使用履歴を記録するメニュー項目記録部と、
通信又は通話のために設定された設定情報の使用履歴を記録する設定情報記録部とを有することを特徴とする請求項１記載の携帯通信機器。
【請求項３】
前記操作画面生成手段は、更に、現在表示部で表示されている表示画面の内容に応じて操作画面を生成することを特徴とする請求項２記載の携帯通信機器。
【請求項４】
前記表示部は、最初に待ち受け画面を表示し、
前記操作画面生成手段は、待ち受け画面が表示されているとき、
前記メニュー項目記録部と前記設定情報記録部とで記録された使用履歴を読み出す第１読出部と、
前記第１読出部で読み出されたメニュー項目及び／又は設定情報を項目とする操作画面を生成する第１画面生成部とを有することを特徴とする請求項３記載の携帯通信機器。
【請求項５】
前記第１読出部は、待ち受け画面が表示されているとき、ユーザ操作を所定の期間受け付けないとき、使用履歴を読み出すことを特徴とする請求項４記載の携帯通信機器。
【請求項６】
前記表示制御手段は、前記第１画面生成部で生成された操作画面を所定の期間前記表示部に表示させることを特徴とする請求項５記載の携帯通信機器。
【請求項７】
前記第１画面生成部は、前記項目の使用頻度に拘らず特定メニューを含むことを特徴とする請求項６記載の携帯通信機器。
【請求項８】
前記特定メニューはメインメニューであることを特徴とする請求項７記載の携帯通信機器。
【請求項９】
前記操作画面生成手段は、前記表示部に機能設定のための基本設定メニューが表示されているとき、
前記メニュー項目記録部で記録された使用履歴を読み出す第２読出部と、
前記第２読出部で読み出されたメニュー項目を項目とする操作画面を生成する第２画面生成部とを有することを特徴とする請求項３記載の携帯通信機器。
【請求項１０】
前記第２読出部は、基本メニューが表示されているとき、ユーザ操作を所定の期間受け付けないとき、使用履歴を読み出すことを特徴とする請求項９記載の携帯通信機器。
【請求項１１】
前記第１読出部は、待ち受け画面が表示されているとき、特定キーの押下操作を受けたとき、使用履歴を読み出すことを特徴とする請求項４記載の携帯通信機器。
【請求項１２】
前記第２読出部は、基本設定メニューが表示されているとき、特定キーの押下操作を受けたとき、使用履歴を読み出すことを特徴とする請求項９記載の携帯通信機器。
【請求項１３】
前記履歴記録手段は、使用履歴の記録を時間帯に分類して記録し、
前記第１読出部又は第２読出部は、現在時刻を含む時間帯に分類された使用履歴を読み出すことを特徴とする請求項４又は９記載の携帯通信機器。
【請求項１４】
前記履歴記録手段は、使用履歴の記録に月を記録し、
前記第１読出部又は第２読出部は、現在の季節に応じた月の使用履歴を読み出すことを特徴とする請求項４又は９記載の携帯通信機器。
【請求項１５】
前記第１画面生成部又は前記第２画面生成部は、中央に十字キーを配し、四方に各項目を配置した操作画面を生成することを特徴とする請求項４又は９記載の携帯通信機器。
【請求項１６】
前記第１画面生成部又は前記第２画面生成部は、中央に上下キーを配し、中央の上下から上下の外方に各項目を使用頻度の順位に並べて配置することを特徴とする請求項４又は９記載の携帯通信機器。
【請求項１７】
前記履歴記録手段は、使用履歴の記録を七曜に分類して記録し、
前記第１読出部又は第２読出部は、使用日の七曜に分類された使用履歴を読み出すことを特徴とする請求項４又は９記載の携帯通信機器。
【請求項１８】
機能設定のための複数のメニューが階層的に関連付けられ、各メニューをユーザ操作に応じて順次切り換えて表示部に表示する携帯通信機器の操作画面表示方法であって、
ユーザの設定操作の対象となったメニュー項目とユーザ操作で設定された設定情報との使用履歴を記録する履歴記録ステップと、
使用履歴から使用頻度が高い順位にあるメニュー項目及び／又は設定情報を項目とする操作画面を生成する操作画面生成ステップと、
生成された操作画面を前記表示部に優先的に表示させる表示制御ステップとを有することを特徴とする携帯通信機器の操作画面表示方法。
【発明の詳細な説明】
【技術分野】
【０００１】
本発明は、携帯通信機器に関し、特に携帯電話機の操作画面表示技術に関する。
【背景技術】
【０００２】
最近の携帯電話機の多機能化はめざましく、ユーザは、各機能を効果的に利用し、携帯電話機を活用している。
一方、各機能を利用する場合、それぞれの機能を設定する必要がある。この機能設定のためには、操作キーによる機能設定の他に、表示画面に表示させたメニューのメニュー項目の順次選択による機能設定をしなければならない。
【０００３】
しかし、ユーザにとって、初期画面から階層的に構成されたメニュー項目を選択していくのは煩雑な作業である。
このようなメニュー画面の検索を効率的に行なう携帯電話機が、例えば特許文献１に開示されている。この携帯電話機では、８方向９接点キーを用いて、表示画面の各方向にメニューを配置し、方向キーでメニューを順次選択し、表示画面を順次切り替えるようにしている。
【特許文献１】特開２０００−１１５３１８号広報
【発明の開示】
【発明が解決しようとする課題】
【０００４】
ところで、上記従来の技術では、階層構造のメニューでは、所望のメニューに到達するまで、何度かのキー操作をしなければならない。
しかし、ユーザごとに各機能の使用頻度は異なり、所望の機能設定のためのメニューも異なるのが一般である。
そこで、本発明は、上記課題を解決し、所望の機能設定を容易に選択できる携帯電話機を提供することを目的とする。
【課題を解決するための手段】
【０００５】
上記課題を解決するため、本発明は、機能設定のための複数のメニューが階層的に関連付けられ、各メニューをユーザ操作に応じて順次切り換えて表示部に表示する携帯通信機器であって、ユーザの設定操作の対象となったメニュー項目とユーザ操作で設定された設定情報との使用履歴を記録する履歴記録手段と、使用履歴から使用頻度が高い順位にあるメニュー項目及び／又は設定情報を項目とする操作画面を生成する操作画面生成手段と、生成された操作画面を前記表示部に優先的に表示させる表示制御手段とを備えることとしている。
【発明の効果】
【０００６】
本発明によれば、ユーザは煩雑なメニューの選択操作を繰り返すことなく、操作画面の使用頻度の高い項目を選択して、所望の機能をよりスピーディに携帯通信機器を使うことができる。
【発明を実施するための最良の形態】
【０００７】
以下、本発明に係る携帯電話機の実施の形態について、図面を用いて説明する。
（一実施の形態）
図１は、本発明に係る携帯電話機の実施の形態１の構成図である。
この携帯電話機は、履歴記録部１０１と、操作部１０２と、制御部１０３と、表示部１０４と、操作画面生成部１０５と、無線部１０６と、ベースバンド信号処理部１０７と、マイク１０８と、スピーカ１０９とを備えている。
【０００８】
図２は、この携帯電話機の外観図である。携帯電話機は、開閉自在の上部筺体２０１と下部筺体２０２とからなる。上部筺体２０１にはスピーカ１０９と、アンテナ２０４と、表示部１０４とが設けられている。下部筺体２０２には、操作部１０２を形成する操作キー群が設けられており、４方向キー２０７が含まれる。また、下部筺体２０２には、マイク１０８が設けられている。表示部１０４には、待受画面２０５が表示されている。
【０００９】
なお、本実施の形態では、折り畳み式の携帯電話機としたけれども、スライド式の携帯電話機であってもよいし、又、ストレートボディの携帯電話機であってもよいのは勿論である。
履歴記録部１０１は、ＲＡＭ等で構成された記憶領域を有し、機能設定のために設定操作の対象となったメニュー項目と、ユーザの操作や選択操作で設定された電話番号やメールアドレス、ＵＲＬ等の設定情報との使用履歴を記録する。
【００１０】
図３は、履歴記録部１０１の記憶領域に記憶されているメニューデータの使用履歴の一例を示す図である。メニューデータ３０１は、機能設定のために用意された各項目を階層的なメニューとして表示するためのデータである。各メニューには、メニュー番号３０３、３０４、３０５が付されている。メニュー番号３０３等に対応して項目名３０６が記載されている。
【００１１】
例えば、メニュー番号「Ｍ０」のメニューには、メニュー番号「Ｍ１」、「Ｍ２」、「Ｍ３」・・・の「時間／料金／申し込み」、「音／バイブ」、「画面表示」、・・・のメニュー項目が含まれている。
このメニュー番号「Ｍ３」の「画面表示」項目が選ばれたときには、メニュー番号「Ｍ３１」、「Ｍ３２」、・・・の「メインディスプレイ」、「サブディスプレイ」・・・をメニュー項目に含むメニューが表示される。
【００１２】
各メニュー項目３０６に対して使用履歴３０２が記録される。ここで、使用履歴は、各メニューからメニュー項目が選択され、その選択されたメニュー項目が機能設定の対象となったときに、記録される。
履歴記録部１０１は、制御部１０３から使用履歴の記録指示を受けると、使用履歴３０２を記録する。
【００１３】
使用履歴３０２は、使用された総回数を示す頻度３０７と、その使用年月日時刻３０８と、時間帯３０９とを記録している。
なお、時間帯３０９は、時間帯１、時間帯２、時間帯３のように３分類しているが、もっと細分類してもいいし、異なる時間帯としてもよい。
図４は、履歴記録部１０１の記憶領域に記録されているアドレス帳の使用履歴である。アドレス帳４０１には、識別番号４０３と、名前４０４と、名前４０４に対応した電話番号４０５とメールアドレス４０６とが記録されている。
【００１４】
電話の発信やメールの送信時に、アドレス帳４０１から電話番号やメールアドレスが選択され、発呼または送信されたとき、履歴記録部１０１は、制御部１０３から使用履歴の記録指示を受けると、使用履歴４０２を記録する。
なお、使用履歴４０２には、メニューデータ３０１の使用履歴３０２と同様、頻度４０６と、年月日時刻４０７と時間帯４０８とが記録される。
【００１５】
また、履歴記録部１０１は、電話の発信履歴やメール内容を記録したメールボックスやＷＷＷのホームページに接続するためのＵＲＬを記録したお気に入りリストやホームページへの接続履歴も記録している。これらに記録された電話番号やメールアドレス、ＵＲＬ等が利用されたとき、その使用履歴を記録する。使用履歴は、上述したメニューデータ３０１とアドレス帳４０１との使用履歴３０２、４０２と同様である。ただし、重複記録を避けるため、アドレス帳４０１を用いた場合等には発信履歴等に使用履歴を記録しないようにする。
【００１６】
図５は、図３に示したメニューデータ３０１を模式的に示したメニュー構造の一例である。メニュー構造５０１は、表示部１０４に表示される待受画面５０２から操作部１０２でのユーザ操作に従い順次表示されるメニューの概略が示されている。また、メニューの各項目で機能設定がなされたときの頻度が（    ）５１０等で示されている。なお、電話発信５０５での電話番号５０７、５０８やインターネットトップ５０６からのＵＲＬ５０９は、電話の発呼やホームページへの接続のための設定情報であるが、機能設定の対象となったメニュー項目と同様の頻度を記載している。これらは、例えば、アドレス帳４０１等の使用履歴４０２等に基づいている。
【００１７】
操作部１０２は、図２に示した４方向キー２０７を含むテンキー等１０２から構成され、ユーザのキー押下操作等を制御部１０３に通知する。
制御部１０３は、この携帯電話機の各部の制御を行なう。本実施の形態では、カメラ機能やラジオ放送受信機能、TV放送受信機能等について、その図示とともに説明を省略するけれども、それらの機能についても制御部１０３が制御する。
【００１８】
制御部１０３は、操作部１０２からのユーザの操作指示を受けると、その指示が待受画面の表示であるときには、図示しない画像記憶部に記憶されている待受画面を読み出し、表示部１０４に表示させる。その後、所定の期間、例えば３秒間、操作部１０２から操作指示を受けないとき、操作画面生成部１０５に待受画面に対する操作画面を生成するよう指示する。
【００１９】
また、制御部１０３は、表示されたメニューのメニュー項目の選択指示を操作部１０２から受けると、当該メニュー項目のメニューを履歴記録部１０１のメニューデータ３０１から読み出し、メニューを生成して、表示部１０４に表示する。
制御部１０３は、メニュー項目の機能設定の指示を操作部１０２から受けると、当該機能の設定を図示しない各部に設定し、併せて、履歴記録部１０１に当該メニュー項目の通知とともに使用履歴の記録指示をする。
【００２０】
また、制御部１０３は、操作部１０２からアドレス帳４０１の表示指示を受けると、履歴記録部１０１に記憶されているアドレス帳４０１を表示部１０４に表示する。操作部１０４からアドレス帳４０１の電話番号又はメールアドレスの選択通知を受け、更に発呼又は発信指示を受けると、ベースバンド信号処理部１０７に通知し、併せて、電話番号又はメールアドレスである設定情報を履歴記録部１０１に通知するとともに、使用履歴の記録指示をする。
【００２１】
同様に操作部１０２からURLを記載したお気に入りリストの表示指示を受けると、履歴記録部１０１に記憶されているお気に入りリストを表示部１０４に表示する。操作部１０２からお気に入りリストのURLの選択通知を受け、更に接続指示を受けると、ベースバンド信号処理部１０７に通知し、併せて、URLである設定情報を履歴記録部１０１に通知するとともに、使用履歴の記録指示をする。
【００２２】
また、制御部１０３は、発信、送信又は接続履歴を表示部１０４に表示した後に、選択された設定情報の通知を受け、発呼、送信又は接続指示を操作部１０２から受けると、ベースバンド信号処理部１０７に通知し、併せて、設定情報を履歴記録部１０１に通知するとともに、使用履歴の追加記録を指示する。
制御部１０３は、操作部１０２で直接入力された電話番号やURL等の設定情報の通知の後、発呼や接続等の指示を受けると、ベースバンド信号処理部１０７に通知し、併せて履歴記録部１０１に設定情報を通知し、使用履歴の記録を指示する。
【００２３】
制御部１０３は、機能設定のためのメニューを表示部１０４に表示した際、所定の期間、例えば３秒間、操作部１０２から操作指示を受けないとき、操作画面生成部１０５に当該メニューのメニュー番号とともに操作画面の生成を指示する。
制御部１０３は、操作画面生成部１０５から生成された操作画面を通知されると、表示部１０４に表示する。操作部１０２から操作画面のメニュー項目の選択通知を受けると、メニュー項目に対応するメニューを表示部１０４に表示し、機能設定の操作指示を受けると、図示しない各部に機能設定し、併せて履歴記録部１０１に使用履歴の記録指示をする。
【００２４】
また、操作部１０２から操作画面の設定情報の選択通知を受け、その後、発呼、送信又は接続指示を受けると、ベースバンド信号処理部１０７に通知し、併せて履歴記録部１０１に使用履歴を記録するよう指示する。
制御部１０３は、通知された操作画面を表示部１０４に表示した後、操作部１０２から一定の期間、例えば３秒間、選択通知を受けないとき、表示部１０４に表示した操作画面を消去する。
【００２５】
なお、操作画面の表示は、半透明とし、先に表示されている待受画面やメニュー画面又はメール等の作成画面に重ねて表示する。
制御部１０３は、操作部１０２から入力されたメール内容をベースバンド信号処理部１０７に通知し、又、ベースバンド信号処理部１０７から通知されたメール内容を履歴記録部１０１に通知し、表示部１０４に表示する等の通信等の通常の制御を行うが、本実施の形態の主題ではないので詳細は省略する。
【００２６】
表示部１０４は、液晶ディスプレイ等からなり、制御部１０３によって、メニュー画面や操作画面等を表示する。また、メール作成等の文章表示やWWWのホームページを表示する。
図６は、表示部１０４に表示されたメニュー画面の一例を示す。このメニュー画面は、基本設定メニュー６０１であり、現在「プロフィール」がデフォルトで選択状態となっている。
【００２７】
操作画面生成部１０５は、表示部１０４に待受画面が表示されているとき、制御部１０３から操作画面の生成指示を受けると、記憶領域に記憶されているメニューデータ３０１とアドレス帳４０１との使用履歴３０２、４０２と図示しないメールボックス、通信履歴、お気に入りリスト等の使用履歴の頻度を読み出し、頻度の高い順に例えば４個、その設定情報やメニュー項目を抽出し、図７に示すように操作画面を生成し、制御部１０３に通知する。
【００２８】
使用履歴が図５のメニュー構造５０１で模式的に示した（    ）５１０で示す頻度の場合、使用頻度の高い順に「０９０００００００００」５０７、「ｈｔｔｐ：／／ｗｗｗ．ｓａｎ．ｃｏ．ｊｐ」５０９、「電波ＯＦＦモード」５１１、「０９０１１１１２２２２」５０８とを抽出される。
操作画面７０１では、中央に４方向キー７０２が配置され、上方から時計回りに、設定情報「０９０００００００００」７０３、「ｈｔｔｐ：／／ｗｗｗ．ｓａｎ」７０４、メニュー項目「電波ＯＦＦモード」７０５、設定情報「０９０１１１１２２２２」７０６が記載されている。
【００２９】
このような操作画面７０１を生成すると、操作部１０２の４方向キー２０７（図２）で容易に選択決定操作をすることができる。
同様の場合に、上下キーを用いてメニュー項目や設定情報の選択決定操作を容易にするため、図８のような操作画面を生成してもよい。操作画面８０１では、上下キー８０２を中央に、上側に頻度の１番高い設定情報８０３と更に上側に頻度の３番目のメニュー項目８０５とを記載し、下側に頻度の２番目の設定情報８０４と更に下側に頻度の４番目の設定情報８０６とを記載している。
【００３０】
このような操作画面８０１を生成すると、頻度の１、２番目の設定情報又はメニュー項目は、上下キーを１度押下操作すると選択することができ、頻度の３、４番目の設定情報又はメニュー項目は、上下キーを２度押下操作すると選択することができる。
なお、操作画面は、図９に示すように生成してもよい。操作画面９０１では、頻度の高い順に上側から下側に設定情報９０２、９０３、メニュー項目９０４、設定情報９０５、メニュー項目９０６が記載されている。
【００３１】
また、初期画面である待受画面に表示する操作画面では、特定のメニュー項目、例えばメインメニューを記載しておくと、頻度の高くないメニュー項目や設定情報を選択するときにも便利である。図１０では、そのような操作画面を示している。
操作画面生成部１０５は、予め特定メニュー項目の設定を記憶しており、表示する項目が４個の場合、特定のメニュー項目が１つであれば、使用履歴から抽出するメニュー項目又は設定情報を３つとする。特定メニュー項目が２つであれば、抽出するのは２つとなる。
【００３２】
操作画面１００１では、頻度の１番と２番の設定情報１００４、１００５を上下キー１００２の上方と下方とに配し、頻度の３番のメニュー項目１００６を更に上方に配し、特定メニュー項目であるメインメニュー１００３を更に下方に配している。
操作画面生成部１０５は、表示部１０４に表示されているメニューが基本設定であるとの通知を受けているときは、メニューデータ３０１の使用履歴３０２を読み出し、頻度の高いメニュー項目を抽出して、図１１に示すように操作画面を生成する。これは、このメニューの階層からは、通話等の機能設定が行なわれないからである。
【００３３】
操作画面１１０１では、上下キー１１０２の上方に図５に示した頻度の１、３番のメニュー項目「電波ＯＦＦモード」１１０３、「プリントモード」１１０５を配し、下方に頻度２、４番のメニュー項目「ウェイクアップ」１１０４、「入力文字」１１０６を配している。
無線部１０６は、アンテナで受信された信号をベースバンド信号処理部１０７に通知し、ベースバンド信号処理部１０７から通知された信号をアンテナを介して基地局（図示せず）に送信する。
【００３４】
ベースバンド信号処理部１０７は無線部１０６から通知された信号を処理し、制御部１０３とスピーカ１０９とに出力する。また、マイク１０８から通知された音声信号を処理し、無線部１０６に信号を通知し、制御部から通知された情報を処理して、無線部１０６に信号を通知する。
マイク１０８は、音声信号をベースバンド信号処理部１０７に通知する。
【００３５】
スピーカ１０９は、ベースバンド信号処理部１０７から通知された音声信号を音声に変換し、出力する。
次に、本実施の形態の動作を図１２乃至図１８のフローチャートを用いて説明する。なお、図１６、１７、１８は、図１２のＳ１２２８の詳細な動作を説明するフローチャートである。
【００３６】
先ず、制御部１０３は、操作部１０２からのユーザ指示によって、表示部１０４に待受画面を表示する（Ｓ１２０２）。制御部１０３は、操作部１０２から操作指示が有か否か判定し、（Ｓ１２０４）、所定期間なければ（Ｓ１２０６）、操作画面生成部１０５に操作画面の生成指示をする。
操作画面生成部１０５は履歴記録部１０１に記録されているメニューデータ３０１、アドレス帳４０１等の使用履歴を読み出す（Ｓ１２０８）。読み出した使用履歴の頻度の高い４つの項目（メニュー項目及び／又は設定情報）を抽出し、例えば、操作画面７０１を生成する（Ｓ１２１０）。
【００３７】
制御部１０３は、操作画面生成部１０５から通知された操作画面を表示部１０４に表示されている待受画面に重ねて表示する（Ｓ１２１２）。制御部１０３は、操作部１０２から操作指示があるか否かを判定する（Ｓ１２１４）。一定期間指示がなければ（Ｓ１２１６）、操作画面を消去して、Ｓ１２０２に戻る。操作指示があるときには、操作指示が通信、通話か否かを判定し（Ｓ１２１８）、否のときには、Ｓ１３０２に移る。
【００３８】
制御部１０３は、通信、通話のときには、操作画面に表示された設定情報、即ち、電話番号やメールアドレス、ＵＲＬの選択通知を受け（Ｓ１２２０）、発呼、発信又は接続指示を待って（Ｓ１２２２）、使用履歴の記録指示を履歴記録部１０１にする。
履歴記録部１０１は、使用履歴をアドレス帳３０１等の電話番号等に対応させて記録し（Ｓ１２２４）、処理を終了する。
【００３９】
Ｓ１２０４において、操作指示が有るとき、制御部１０３は、操作指示が通信又は通話か否かを判定する（Ｓ１２２６）。通信又は通話であれば、通信又は通話処理を行なう（Ｓ１２２８）。Ｓ１２２８の詳細は後述する。通信又は通話でないときは、Ｓ１３０２に移る。
制御部１０３は、指示操作で選択されたのがメニュー項目であるので、対応するメニューを表示する（Ｓ１３０２）。制御部１０３は、操作部１０２から操作指示が有るか否かを判定し（S１３０４）、指示があれば、操作部１０２からの指示が機能設定のための指示か否かを判定する（Ｓ１３０６）。制御部１０３は、機能設定のための指示であれば、機能設定のための処理を行い（Ｓ１３０８）、履歴記録部１０１にメニュー項目の使用履歴の記録を指示する。
【００４０】
履歴記録部１０１は、メニューデータ３０１の使用履歴３０２を記録する（Ｓ１３１０）。
制御部１０３は、操作部１０２から終了指示が有るか否かを判定し（Ｓ１３１２）、有れば処理を終了し、なければ、操作画面を消去し、Ｓ１２０２に戻る。
Ｓ１３０６において、機能設定のための指示でないとき、制御部１０３は、メニュー項目の選択指示か否か判定し（Ｓ１３１４）、選択であればＳ１４０２に移る。選択でなければ、Ｓ１３１６に移る。
【００４１】
Ｓ１３０４において、操作指示がなければ、制御部１０３は、指示されたメニューを表示してから一定期間が経過した否かを判定する（Ｓ１３１６）。経過していなければＳ１３０４に戻り、経過していれば、表示部１０４に現在表示しているのが基本設定メニューか否かを判定する（Ｓ１３１８）。否であれば、表示中のメニュー画面を消去して、Ｓ１２０２に戻る。基本設定メニューであれば、操作画面生成部１０５に、メニューデータ３０１の使用履歴３０２から操作画面を生成するよう指示する。
【００４２】
操作画面生成部１０５は、メニューデータ３０１の使用履歴を読み出し（Ｓ１３２０）、頻度の高いメニュー項目を項目とする操作画面を生成し（Ｓ１３２２）、Ｓ１５０２に移る。
Ｓ１４０２において、制御部１０３は、選択されたメニュー項目のメニューを履歴記録部１０１のメニューデータ３０１から読み出し、表示部１０４に表示する。
【００４３】
制御部１０３は、操作部１０２からの操作指示を待ち（Ｓ１４０４）、機能設定のための指示か否かを判定する（Ｓ１４０６）。機能設定のための指示であれば、当該機能の設定のための処理を行い（Ｓ１４０８）、履歴記録部１０１に使用履歴の記録を指示する。履歴記録部１０１はメニューデータ３０１のメニュー項目に対応して使用履歴を記録する（Ｓ１４１０）。
【００４４】
制御部１０３は、終了指示が有るか否かを判定し（Ｓ１４１２）、有れば、処理を終了し、なければ、Ｓ１２０２に戻る。
Ｓ１４０６において、指示が機能設定でなければ、メニュー項目の選択か否かを判定し（Ｓ１４１４）、メニュー項目の選択であればＳ１４０２に戻り、なければＳ１４１２に移る。
【００４５】
Ｓ１５０２において、制御部１０３は、操作部１０２から操作指示が有るか否かを判定し、有れば機能設定のための指示か否かを判定する（Ｓ１５０４）。否であれば、Ｓ１４０２に戻り、肯定であれば、機能設定のための処理を行い（Ｓ１５０６）、履歴記録部１０１に使用履歴の記録を指示する。
履歴記録部は、メニューデータ３０１の対応するメニュー項目に使用履歴を記録する（Ｓ１５０８）。
【００４６】
制御部１０３は、操作部１０２から終了指示が有るか否かを判定し（Ｓ１５１０）、有れば処理を終了し、なければ操作画面を消去して、Ｓ１２０２に戻る。
Ｓ１５０２において、制御部１０３は、操作指示がないとき、操作画面又は選択されたメニューを表示してから一定期間が経過したか否かを判定する（Ｓ１５１２）。経過していなければＳ１５０２に戻り、経過していればＳ１３１８に移る。
【００４７】
次に、Ｓ１２２８の通信、通話処理の詳細な動作を図１６乃至図１８のフローチャートを用いて説明する。
先ず、制御部１０３は、操作部１０２からの指示が通話か否かを判定する（Ｓ１６０２）。通話でなければ、Ｓ１７０２に移る。通話と判定したときは、アドレス帳４０１の参照指示か否かを判定し（Ｓ１６０４）、否のときはＳ１６１２に移る。
【００４８】
制御部１０３は、肯定のときはアドレス帳４０１を表示部１０４に表示し、操作部１０２からの電話番号の選択を受け付ける（Ｓ１６０６）。操作部１０２から発呼指示を待ち（Ｓ１６０８）、履歴記録部１０１に使用履歴の記録指示をする。
履歴記録部１０１は、アドレス帳４０１の電話番号に対応して使用履歴を記録し（Ｓ１６１０）、処理を終了する。
【００４９】
制御部１０３は、メールボックスの参照指示か否かを判定し（Ｓ１６１２）、否のときはＳ１６２０に移る。肯定のとき、メールボックスを表示部１０４に表示し、記載されている電話番号の選択を操作部１０２から受け付け（Ｓ１６１４）、発呼指示を待ち（Ｓ１６１６）、履歴記録部１０１に使用履歴の記録指示をする。
履歴記録部１０１は、選択されたメールボックスに記載された電話番号に対応して使用履歴を記録し（Ｓ１６１８）、処理を終了する。
【００５０】
制御部１０３は、発信履歴の参照指示であるか否かを判定し（Ｓ１６２０）、否であればＳ１６２８に移り、肯定のときには、表示部１０４に発信履歴を表示して、操作部１０２から電話番号の選択を受け付け（Ｓ１６２２）、発呼指示を待ち（Ｓ１６２４）、履歴記録部１０１に使用履歴の記録指示をする。
履歴記録部１０１は、発信履歴の選択された電話番号に対応して使用履歴を追加記録し（Ｓ１６２６）、処理を終了する。
【００５１】
Ｓ１６２８において、ユーザは、操作部１０２から電話番号を直接入力する（Ｓ１６２８）。制御部１０３は、それを受け付け、発呼指示を待って（Ｓ１６３０）、履歴記録部１０１に使用履歴の記録指示をする。
履歴記録部１０１は、発信履歴に使用履歴を記録して（Ｓ１６３２）、処理を終了する。
【００５２】
次に、制御部１０３は、通話でないとき、メール送信が操作部１０２から指示されたか否かを判定し（Ｓ１７０２）、否のときは、Ｓ１８０２に移る。肯定と判定したとき、アドレス帳４０１の参照指示か否かを判定し（Ｓ１７０４）、否のときはＳ１７１２に移る。
制御部１０３は、肯定のときアドレス帳４０１を表示部１０４に表示し，操作部１０２からメールアドレスの選択を受け付ける（Ｓ１７０６）。操作部１０２からの送信指示を待って（Ｓ１７０８）、履歴記録部１０１に使用履歴の記録指示をする。
【００５３】
履歴記録部１０１は、アドレス帳４０１のメールアドレスに対応して使用履歴を記録し（Ｓ１７１０）、処理を終了する。
制御部１０３は、メールボックスの参照指示か否かを判定し（Ｓ１７１２）、否のときはＳ１７２０に移り、肯定のときは、メールボックスを表示部１０４に表示する。メールボックスに記載されたメールアドレスの選択を操作部１０２から受け付け（Ｓ１７１４）、発信指示を待って（Ｓ１７１６）、履歴記録部１０１に使用履歴の記録指示をする。
【００５４】
履歴記録部１０１は、選択されたメールボックスに記載されたメールアドレスに対応して使用履歴を記録し（Ｓ１７１８）、処理を終了する。
制御部１０３は、送信履歴の参照指示であるか否かを判定し（Ｓ１７２０）、否のときは、Ｓ１７２８に移り、肯定のときは送信履歴を表示部１０４に表示する。操作部１０２からメールアドレスの選択を受け付け（Ｓ１７２２）、送信指示を待って（Ｓ１７２４）、履歴記録部１０１に使用履歴の記録指示をする。
【００５５】
履歴記録部１０１は、発信履歴の選択されたメールアドレスに対応して使用履歴を追加記録し（Ｓ１７２６）、処理を終了する。
Ｓ１７２８において、ユーザは操作部１０２からメールアドレスを直接入力する。制御部１０３、それを受け、送信指示を待って（Ｓ１７３０）、履歴記録部１０１に使用履歴の記録指示をする。
【００５６】
履歴記録部１０１は、送信履歴に使用履歴を記録して（Ｓ１７３２）、処理を終了する。
次に、制御部１０３は、Ｓ１８０２において、インターネットにアクセスか否かを判定する。否のときは再度Ｓ１６０２に戻り、肯定のときには、お気に入りリストの参照指示を操作部１０２から受け付けたか否かを判定する（Ｓ１８０４）。否のときにはＳ１８１２に移り、肯定のときは、お気に入りリストに記載されたＵＲＬの選択指示を受け（Ｓ１８０６）、接続指示を待って（Ｓ１８０８）、履歴記録部１０１に使用履歴の記録指示をする。
【００５７】
履歴記録部１０１は、選択されたＵＲＬに対応して使用履歴を記録して（Ｓ１８１０）、処理を終了する。
制御部１０３は、操作部１０２から直接入力されたＵＲＬの通知を受け付け（Ｓ１８１２）、直接指示を待って（Ｓ１８１４）、履歴記録部１０１に使用履歴の記録指示をする。
【００５８】
履歴記録部１０１は、接続履歴に使用履歴を記録して（Ｓ１８１６）、処理を終了する。
なお、上記実施の形態では、操作画面は、直前に表示部１０２に表示している待受画面やメニュー画面の操作が所定期間ない場合に制御部１０３が表示するようにしたが、他の実施の形態では、操作部１０２の特定のキーが押下操作されたときに操作画面を表示するようにしてもよい。
【００５９】
また、操作画面を表示した後、一定期間、操作がない場合に操作画面を消去するようにしたが、特定キーを押下している期間、操作画面を表示し、特定キーが解除されたとき操作画面を消去してもよい。
又、上記実施の形態では、操作画面生成部１０５は、使用頻度だけを考慮して操作画面を生成したけれども、メニュー項目や設定情報が使用された時間帯を分類し、現在使用している時刻を含む時間帯に分類された使用履歴の頻度の高い順位から項目を選んだ操作画面を生成するようしてもよい。
【００６０】
また、使用履歴に月日が記録されているので、季節ごとに使用頻度を分類して、現在の季節に応じた操作画面を生成するようにしてもよい。
また、使用履歴を七曜（曜日）に分類して記録するようにしておき、使用している日の対応する七曜に分類された曜日に応じた操作画面を生成するようにしてもよい。これによって、日曜日とウィークデーとでは、操作画面が異なることが多くなる。
【００６１】
また、上記実施の形態では、待受画面や機能設定のためのメニュー画面を表示しているときに操作画面を表示するようしたが、他の実施の形態として、図１９に示すようにメール作成時のような操作実行時に操作画面を表示するようにしてもよい。
図１９（ａ）は、表示部１０４にメール本文１９０１を作成中である。この際、次に入力する文字種の選択を図１９（ｂ）に示す操作画面１９０２のようにメール本文１９０１に重ねて表示して選択を容易とするようしてもよい。
【００６２】
この操作画面１９０２では、中央の上下キー１９０３の上方に「数」１９０４、更に上方に「英」１９０６を配し、下方に「記号」１９０５、更に下方「絵文字」１９０７を配し、簡単に数字やアルファベット等をメール本文に記載できるようにしている。
更に、上記実施の形態では、図１９に示すように、操作画面１９０２を基の表示画面１９０１の上方に重ねて表示したが、基の表示画面１９０１に替えて操作画面１９０２を表示するようにしてもよい。
【００６３】
また、他の実施の形態として、ＧＰＳ機能を有する場合、使用履歴にその位置を記録しておき、同一範囲内とされる位置ごとに使用頻度を記録しておき，現在携帯電話機の在る位置ごとに操作画面を生成するようしてもよい。
なお、携帯電話機が充電器上に載置されているか否かを判定する判定部を設け、充電器上に載置されているとき特有の操作画面を生成するようにしてもよい。
【００６４】
本発明では、前記履歴記録手段は、設定操作の対象となったメニュー項目の使用履歴を記録するメニュー項目記録部と、通信又は通話のために設定された設定情報の使用履歴を記録する設定情報記録部とを有することとしている。
このような構成によって、機能設定のためのメニュー項目の選択と、通信又は通話のための例えばメールアドレスや電話番号等の設定情報の選択とを容易にすることが可能となる。
【００６５】
また、前記操作画面生成手段は、更に、現在表示部で表示されている表示画面の内容に応じて操作画面を生成することとしている。
このような構成によって、現在表示中の表示画面に応じて表示部に表示させる操作画面が生成されるので、更にメニュー項目の選択や通信又は通話の設定情報の選択を容易にすることができる。
【００６６】
また、前記表示部は、最初に待ち受け画面を表示し、前記操作画面生成手段は、待ち受け画面が表示されているとき、前記メニュー項目記録部と前記設定情報記録部とで記録された使用履歴を読み出す第１読出部と、前記第１読出部で読み出されたメニュー項目及び／又は設定情報を項目とする操作画面を生成する第１画面生成部とを有することとしている。
【００６７】
このような構成によって、待ち受け画面が表示されているときには、メニューや設定情報とがともに表示された操作画面を得ることができる。
また、前記第１読出部は、待ち受け画面が表示されているとき、ユーザ操作を所定の期間受け付けないとき、使用履歴を読み出すこととしている。
このような構成によって、ユーザは煩雑なキー操作の回数を減らすことができる。
【００６８】
また、前記表示制御手段は、前記第１画面生成部で生成された操作画面を所定の期間前記表示部に表示させることとしている。
このような構成によって、ユーザにとって所望の操作画面が得られなかったときも、順次メニュー項目の選択を容易に続けることができる。
また、前記第１画面生成部は、前記項目の使用頻度に拘らず特定メニューを含むこととしている。
【００６９】
このような構成によって、設定操作の対象とならない階層構造の上位のメニューを選択することが可能となる。
また、前記特定メニューはメインメニューであることとしている。
このような構成によって、使用頻度の高くないメニュー項目を順次選択することと両立することができる。
【００７０】
また、前記操作画面生成手段は、前記表示部に機能設定のための基本設定メニューが表示されているとき、前記メニュー項目記録部で記録された使用履歴を読み出す第２読出部と、前記第２読出部で読み出されたメニュー項目を項目とする操作画面を生成する第２画面生成部とを有することとしている。
このような構成によって、機能設定のためのメニュー項目の選択がより効率的となる。
【００７１】
また、前記第２読出部は、基本メニューが表示されているとき、ユーザ操作を所定の期間受け付けないとき、使用履歴を読み出すこととしている。
このような構成によって、使用頻度の高いメニュー項目を項目とする操作画面をユーザ操作を待たずに表示することができる。
また、前記第１読出部は、待ち受け画面が表示されているとき、特定キーの押下操作を受けたとき、使用履歴を読み出すこととしている。
【００７２】
このような構成によって、ユーザが特定キーを押下すれば、即座にメニュー項目や設定情報を表示した操作画面が表示される。
また、前記第２読出部は、基本設定メニューが表示されているとき、特定キーの押下操作を受けたとき、使用履歴を読み出すこととしている。
このような構成によって、基本メニューが表示されているとき、ユーザが特定キーを押下すると、使用頻度の高いメニュー項目を表示した操作画面が表示される。
【００７３】
また、前記履歴記録手段は、使用履歴の記録を時間帯に分類して記録し、前記第１読出部又は第２読出部は、現在時刻を含む時間帯に分類された使用履歴を読み出すこととしている。
このような構成によって、現在時刻に対応した使用頻度の高い項目を操作画面に表示することができる。
【００７４】
また、前記履歴記録手段は、使用履歴の記録に月を記録し、前記第１読出部又は第２読出部は、現在の季節に応じた月の使用履歴を読み出すこととしている。
このような構成によって、現在の季節に対応した使用頻度の高い項目を操作画面に表示することができる。
また、前記第１画面生成部又は前記第２画面生成部は、中央に十字キーを配し、四方に各項目を配置した操作画面を生成することとしている。
【００７５】
このような構成によって、操作画面に表示された項目の選択が一度のキー操作ですることができる。
また、前記第１画面生成部又は前記第２画面生成部は、中央に上下キーを配し、中央の上下から上下の外方に各項目を使用頻度の順位に並べて配置することとしている。
このような構成によって、使用頻度の高い項目の選択ほどキー操作回数を少なくて済むようできる。
【００７６】
また、前記履歴記録手段は、使用履歴の記録を七曜に分類して記録し、前記第１読出部又は第２読出部は、使用日の七曜に分類された使用履歴を読み出すこととしている。
このような構成によって、今日の「曜日」に対応した使用頻度の高い項目を操作画面に表示することができる。
また、本発明は、機能設定のための複数のメニューが階層的に関連付けられ、各メニューをユーザ操作に応じて順次切り換えて表示部に表示する携帯通信機器の操作画面表示方法であって、ユーザの設定操作の対象となったメニュー項目とユーザ操作で設定された設定情報との使用履歴を記録する履歴記録ステップと、使用履歴から使用頻度が高い順位にあるメニュー項目及び／又は設定情報を項目とする操作画面を生成する操作画面生成ステップと、生成された操作画面を前記表示部に優先的に表示させる表示制御ステップとを有することとしている。
【００７７】
このような方法によって、ユーザは煩雑なメニューの選択操作を繰り返すことなく、操作画面の項目を選択して所望の機能を携帯通信機器に発揮させることができる。
【産業上の利用可能性】
【００７８】
本発明係る携帯電話機は、使い勝手のよい通信端末として通信産業分野で活用される。
【図面の簡単な説明】
【００７９】
【図１】本発明に係る携帯電話機の実施の形態１の構成図である。
【図２】上記実施の形態の外観を示す図である。
【図３】上記実施の形態の履歴記録部に記録されているメニューデータの使用履歴の一例を示す図である。
【図４】上記実施の形態の履歴記録部に記録されているアドレス帳の使用履歴の一例を示す図である。
【図５】上記実施の形態の履歴記録部に記録されている使用履歴を模式的に示した図である。
【図６】上記実施の形態の表示部に表示される機能設定のための基本メニューの一例を示す図である。
【図７】図５に模式的に示した使用履歴が記憶されている場合に操作画面生成部で生成される操作画面の一例を示す図である。
【図８】図７と同様に操作画面生成部で生成される操作画面の他の一例を示す図である。
【図９】図７と同様に操作画面生成部で生成される操作画面の更に他の一例を示す図である。
【図１０】上記実施の形態の操作画面生成部で生成される特定のメニュー画面を含む操作画面の一例を示す図である。
【図１１】上記実施の形態の操作画面生成部で生成される表示部に基本メニューが表示されている場合の操作画面の一例を示す図である。
【図１２】上記実施の形態の動作を説明するフローチャート（その１）である。
【図１３】上記実施の形態の動作を説明するフローチャート（その２）である。
【図１４】上記実施の形態の動作を説明するフローチャート（その３）である。
【図１５】上記実施の形態の動作を説明するフローチャート（その４）である。
【図１６】図１２のＳ１２２８の詳細な動作を説明するフローチャート（その１）である。
【図１７】図１２のＳ１２２８の詳細な動作を説明するフローチャート（その２）である。
【図１８】図１２のＳ１２２８の詳細な動作を説明するフローチャート（その３）である。
【図１９】上記実施の形態の表示部に表示された操作画面の一例を説明する図である。
【符号の説明】
【００８０】
１０１  履歴記録部
１０２  操作部
１０３  制御部
１０４  表示部
１０５  操作画面生成部
１０６  無線部
１０７  ベースバンド信号処理部
１０８  マイク
１０９  スピーカ
【図１】
2006287556.tif 000003
【図２】
2006287556.tif 000004
【図３】
2006287556.tif 000005
【図４】
2006287556.tif 000006
【図５】
2006287556.tif 000007
【図６】
2006287556.tif 000008
【図７】
2006287556.tif 000009
【図８】
2006287556.tif 000010
【図９】
2006287556.tif 000011
【図１０】
2006287556.tif 000012
【図１１】
2006287556.tif 000013
【図１２】
2006287556.tif 000014
【図１３】
2006287556.tif 000015
【図１４】
2006287556.tif 000016
【図１５】
2006287556.tif 000017
【図１６】
2006287556.tif 000018
【図１７】
2006287556.tif 000019
【図１８】
2006287556.tif 000020
【図１９】
2006287556.tif 000021